(57)【要約】【課題】キャップを軽量化するとともにその着脱を簡便化し、各種の異なる外径のオーバーフロー管に対し可能な限り少ない種類のキャップで対応可能とすることにある。【解決手段】  外径基準寸法が異なる複数種類のプラスチック製オーバーフロー管１に適用可能なプラスチック製のキャップ８であって、前記複数種類のオーバーフロー管１の各々との間の弾性変形応力及び／又は表面接触摩擦力を利用して前記オーバーフロー管１に着脱可能に嵌着される複数の嵌合部８ｄ，８ｅを具えることを特徴とする、オーバーフロー管用プラスチック製キャップ１である。【選択図】図５
0003114979.tif 000002
【実用新案登録請求の範囲】
【請求項１】
外径基準寸法が異なる複数種類のプラスチック製オーバーフロー管に適用可能なプラスチック製のキャップであって、
前記複数種類のオーバーフロー管の各々との間の弾性変形応力及び／又は表面接触摩擦力を利用して前記オーバーフロー管に着脱可能に嵌着される複数の嵌合部を具えることを特徴とする、オーバーフロー管用プラスチック製キャップ。
【請求項２】
前記プラスチック製オーバーフロー管は、外径基準寸法がａｍｍ及びｂｍｍ（ｂ＞ａとする）の二種類であって、
前記嵌合部は、互いに同心円状に配置された、
０．９８ａ〜１．００ａの範囲の基部内径（ｍｍ）及び１．００ａ〜１．０２ａの範囲の先端部内径（ｍｍ）を持つテーパー形の内側嵌合部と、
０．９８ｂ〜１．００ｂの範囲の基部内径（ｍｍ）及び１．００ｂ〜１．０２ｂの範囲の先端部内径（ｍｍ）を持つテーパー形の外側嵌合部と、
からなることを特徴とする、請求項１記載のオーバーフロー管用プラスチック製キャップ。
【請求項３】
前記プラスチック製オーバーフロー管は、肉厚が２．０ｍｍ〜１８．０ｍｍの範囲の硬質塩化ビニル製のＶＰ管であることを特徴とする、請求項１又は請求項２記載のオーバーフロー管用プラスチック製キャップ。
【請求項４】
外壁から外側にはみ出す前記プラスチック製オーバーフロー管に前記プラスチック製キャップを取付けた状態で、前記オーバーフロー管及びそのオーバーフロー管と外壁との空隙を埋めるためのシーリング剤が前記プラスチック製キャップによって外から見えないように覆われる配置とすることを特徴とする、請求項１から請求項３までの何れか記載のプラスチック製キャップの取付け方法。
【請求項５】
前記プラスチック製キャップは外側に傘部を具え、
前記内側嵌合部および前記外側嵌合部は、少なくとも前記シーリング剤の塗布長さ分前記傘部の自由端部から引っ込んでいることを特徴とする、請求項４記載のプラスチック製キャップの取付け方法。
【考案の詳細な説明】
【技術分野】
【０００１】
本考案は、雨水などの排水路として機能するプラスチック製オーバーフロー管に対する簡便な着脱性を有するプラスチック製キャップに関するものである。
【背景技術】
【０００２】
近年、炭酸ガスによる地球温暖化も一原因と考えられるが、局地的な集中豪雨が日本国内各地で頻繁に起こるようになってきている。このような現象は従来は稀であったため、雨水対策としてはドレンの設置のみで対応してきた。
【０００３】
しかし、近年の集中豪雨に対応するには、従来のドレンの排水能力だけでは不十分な場合があり、また、本来排水能力が十分であっても、落ち葉などによる目詰まり現象などで排水能力が低下していると、緊急の雨量増大に対しベランダや屋上などで水が溢れて室内に流れ込む悲惨なケースも起こる可能性がある。
【０００４】
このような現象を未然に防止するには、オーバーフロー管の設置が最適である。この場合、オーバーフロー管の内径が大きいほど排出能力は高くなるが、水位の高さを考慮して適切なオーバーフロー管の内径を選定する必要がある。
【０００５】
このオーバーフロー管の材質は、軽量で耐水性・耐久性に優れているプラスチック製が好ましく、中でも硬質塩化ビニル製ＶＰ管は、安価で市場からの入手が容易でありしかも耐水性に優れているので、現在プラスチック製オーバーフロー管の主流をなしている。
【０００６】
ところで、地上に対し水平方向に設置されるプラスチック製オーバーフロー管とはいえ、長期に亘りその機能を維持するには、管内への異物の進入や日光による劣化などを防止するため、そのオーバーフロー管の、ベランダや屋上などの外壁に開口する端部に覆いを設けることが必要不可欠である。
【０００７】
プラスチック製オーバーフロー管の端部に覆いを設ける方法としては現在のところ、図６に示すようにオーバーフロー管１の、外壁２から突出する端部１ａに硬質塩化ビニル製のエルボ３を取付けて下方に雨水を落とす方法、図７に示すようにオーバーフロー管１の、外壁２から突出する端部１ａに被せたプラスチック製キャップ４を外壁にネジ５で取付ける方法、図８に示すようにオーバーフロー管１の、外壁２に開口する端部１ａにアルミダイカスト製のカバー６を板バネ６ａで固定し、そのカバー６や端部１ａの周囲にシーリング剤７を塗布する方法などが知られているが、いずれもオーバーフロー管の端部を覆う機能性は有しているものの、オーバーフロー管との着脱は簡便でなく、しかも建物の美観を配慮した覆い構造とは必ずしもなっていない。
【０００８】
建築物の完成に至る工事は通常、外壁工事、防水工事、外壁塗装工事という手順で専門業者が入って進められているが、オーバーフロー管そのものの設置は防水工事業者が通常担う一方、このオーバーフロー管へのキャップやカバーなどの覆いの取付けは、防水工事の専門業者ではなく、不慣れな外壁塗装工事業者が行うのが通例なため、そのキャップやカバーの着脱の簡便化は、外壁塗装工事業者にとって緊急の課題である。
【考案の開示】
【考案が解決しようとする課題】
【０００９】
上記のような現状に鑑み、プラスチック製オーバーフロー管の機能を長期に亘り維持するには異物等の進入を防止するためキャップの取付けが必要不可欠である処、そのキャップの着脱は防水工事の専門業者ではなく、不慣れな外壁塗装工事業者が請け負うことになることから、キャップの軽量化及び着脱の簡便化はもとより、各種の異なる外径のオーバーフロー管に対し可能な限り少ない種類のキャップで対応出来ることが望ましい。
【００１０】
又、このキャップそのものの構造が建築物の美観に耐え得るものであること、さらに、プラスチック製オーバーフロー管の主流をなす硬質塩化ビニル製ＶＰ管は必ずしも十分な耐候性を持ち合わせていないことから、このオーバーフロー管に日光が当たらないような取付け方法を採用する必要があること、といった課題があり、本願考案者らはかかる課題を解決すべく鋭意検討を進めた結果、本考案を完成するに至った。
【課題を解決するための手段】
【００１１】
本考案のオーバーフロー管用プラスチック製キャップは、外径基準寸法が異なる複数種類のプラスチック製オーバーフロー管に適用可能なプラスチック製のキャップであって、前記複数種類のオーバーフロー管の各々との間の弾性変形応力及び／又は表面接触摩擦力を利用して前記オーバーフロー管に着脱可能に嵌着される複数の嵌合部を具えることを特徴とするものである。
【００１２】
一方、本考案のプラスチック製キャップの取付け方法は、外壁から外側にはみ出す前記プラスチック製オーバーフロー管に前記プラスチック製キャップを取付けた状態で、前記オーバーフロー管及びそのオーバーフロー管と外壁との空隙を埋めるためのシーリング剤が前記プラスチック製キャップによって外から見えないように覆われる配置とすることを特徴とするものである。
【考案の効果】
【００１３】
かかる本考案のキャップによれば、キャップ全体が金属に比較して軽量なプラスチック製であって、嵌合部が、オーバーフロー管との間の弾性変形応力及び／又は表面接触摩擦力を利用してオーバーフロー管に簡便に嵌着されるので、不慣れな外壁塗装工事業者が請け負っても容易かつ確実にオーバーフロー管に装着することができる。
【００１４】
しかも本考案のキャップによれば、外径基準寸法が異なる複数種類のプラスチック製オーバーフロー管の各々との間の弾性変形応力及び／又は表面接触摩擦力を利用して前記オーバーフロー管に着脱可能に嵌着される複数の嵌合部を具えているので、各種の異なる外径のオーバーフロー管に対し、少ない種類のキャップで対応することができる。
【００１５】
なお、本考案のオーバーフロー管用プラスチック製キャップにおいては、前記プラスチック製オーバーフロー管が、外径基準寸法がａｍｍ及びｂｍｍ（ｂ＞ａとする）の二種類のものであって、前記嵌合部が、互いに同心円状に配置された、０．９８ａ（すなわち０．９８×ａ）〜１．００ａ（すなわち１．００×ａ）の範囲の基部内径（ｍｍ）及び１．００ａ〜１．０２ａ（すなわち１．０２×ａ）の範囲の先端部内径（ｍｍ）を持つテーパー形の内側嵌合部と、０．９８ｂ（すなわち０．９８×ｂ）〜１．００ｂ（すなわち１．００×ｂ）の範囲の基部内径（ｍｍ）及び１．００ｂ〜１．０２ｂ（すなわち１．０２×ｂ）の範囲の先端部内径（ｍｍ）を持つテーパー形の外側嵌合部と、からなっていても良い。このようにすれば、外側嵌合部と内側嵌合部とを、外径基準寸法がａｍｍ及びｂｍｍ（ｂ＞ａとする）の二種類のプラスチック製オーバーフロー管にそれぞれ、そのオーバーフロー管との間の弾性変形応力及び／又は表面接触摩擦力を利用して着脱可能に嵌着することができ、しかも、外側嵌合部と内側嵌合部とが、互いに同心円状に位置しているので、二種類のオーバーフロー管に対応可能なキャップを、コンパクトに構成することができる。
【００１６】
また、本考案のオーバーフロー管用プラスチック製キャップにおいては、前記プラスチック製オーバーフロー管が、肉厚が２．０ｍｍ〜１８．０ｍｍの範囲の硬質塩化ビニル製のＶＰ管であっても良い。このようにすれば、比較的安価で多用されているＶＰ管に、プラスチック製ゆえ安価な本考案のキャップを適用し得るので、オーバーフロー構造を安価に構成することができる。
【００１７】
一方、本考案のプラスチック製キャップの取付け方法によれば、外壁から外側にはみ出すプラスチック製オーバーフロー管にプラスチック製キャップを取付けた状態で、オーバーフロー管及びそのオーバーフロー管と外壁との空隙を埋めるためのシーリング剤がプラスチック製キャップによって外から見えないように覆われることから、プラスチック製オーバーフロー管が日光が当たって劣化するのを防止し得るとともに、オーバーフロー管と外壁との空隙を埋めるためのシーリング剤の外部への露出を防止して建築物の美観を維持することができる。
【００１８】
なお、本考案のプラスチック製キャップの取付け方法においては、前記プラスチック製キャップが外側に傘部を具え、前記内側嵌合部および前記外側嵌合部が、少なくとも前記シーリング剤の塗布長さ分前記傘部の自由端部から引っ込んでいても良い。このようにすれば、外壁から外側にはみ出すプラスチック製オーバーフロー管にプラスチック製キャップを取付けた状態で、オーバーフロー管及びそのオーバーフロー管と外壁との空隙を埋めるためのシーリング剤をその傘部によって外から見えないように覆うことができる。
【考案を実施するための最良の形態】
【００１９】
以下、本考案の実施の形態を実施例によって、図面に基づき詳細に説明する。ここに、図１は、本考案のオーバーフロー管用プラスチック製キャップの一実施例を示す背面図、図２は、その実施例のキャップを示す、図１のＡ−Ａ線に沿う断面図、図３は、その実施例のキャップを示す正面図、図４は、その実施例のキャップを用いた、本考案のプラスチック製キャップの取付け方法の一実施例としての、オーバーフロー管へのキャップの装着方法を断面で示す説明図、そして図５は、その実施例のプラスチック製キャップの取付け方法によってオーバーフロー管にキャップを取り付けた状態を示す断面図である。
【００２０】
図中符号８で示すこの実施例のオーバーフロー管用プラスチック製キャップは、円盤状の正面部８ａと、その正面部８ａの周囲に一体的に連なる裁頭円錐状の傘部８ｂとを有して略台形の断面形状を持ち、その正面部８ａには、放射状に配置された多数の貫通孔８ｃが形成されている。
【００２１】
またこの実施例のキャップ８は、二種類の外径のオーバーフロー管１に対応可能なように、その正面部８ａの裏面に一体的に連なる何れも筒状の内側嵌合部８ｄと外側嵌合部８ｅとを有しており、それら内側嵌合部８ｄと外側嵌合部８ｅとは、正面部８ａと共通の軸線上に位置して、互いにおよび正面部８ａとも同心円状に位置している。
【００２２】
ここで、内側嵌合部８ｄと外側嵌合部８ｅとの内周面はそれぞれ、先端部の方が基部より僅かに大径となるテーパー形（裁頭円錐状）としてあり、これにより、オーバーフロー管１に取付け易くしてある。さらに、この実施例のキャップ８がオーバーフロー管１から簡単に取れないようにするため、内側嵌合部８ｄと外側嵌合部８ｅとのそれぞれの、正面部８ａに連なる基部は、オーバーフロー管１がその基部まで差し込まれて取り付けられた段階で、その基部とオーバーフロー管１の端部１ａとの両者に僅かに径方向の弾性変形が発生する構造としてある。
【００２３】
具体的には、プラスチック製オーバーフロー管１が、例えば、肉厚が２．０ｍｍ〜１８．０ｍｍの範囲の硬質塩化ビニル製のＶＰ管であって、外径基準寸法がａｍｍ及びｂｍｍ（ｂ＞ａとする）の二種類のものである場合に、この実施例のキャップ８は、図２に示すように、内側嵌合部８ｄが、０．９８ａ〜１．００ａの範囲の基部内径（ｍｍ）及び１．００ａ〜１．０２ａの範囲の先端部内径（ｍｍ）を持ち、また外側嵌合部８ｅが、０．９８ｂ〜１．００ｂの範囲の基部内径（ｍｍ）及び１．００ｂ〜１．０２ｂの範囲の先端部内径（ｍｍ）を持つように、寸法を設定されている。
【００２４】
さらに、この実施例のキャップ８では、内側嵌合部８ｄと外側嵌合部８ｅとのそれぞれの先端部が、傘部８ｂの自由端部（後端部）よりも、通常オーバーフロー管１と外壁２との間に塗布するシーリング剤７の塗布長さ（オーバーフロー管１の軸線方向の長さ）分は少なくとも引っ込むように、内側嵌合部８ｄと外側嵌合部８ｅとが長さ寸法を設定されている。
【００２５】
なお、この実施例のキャップ８の材質は、生産性や可撓性を考慮すると熱可塑性プラスチックが望ましく、耐候性については、少なくとも硬質塩化ビニル樹脂と同等か、それを上回ることが望ましい。しかしそれを下回る場合は、アクリルウレタンのような耐候性良好な塗料を表面に塗布することとしてもよい。このようなキャップ８の材質としては、例えば、ＡＢＳ、ＡＭＳ、ＰＣ、ＰＭＭＡ、ＰＶＣ、ＡＳ、ポリウレタンなどを挙げることができる。
【００２６】
そして、この実施例のキャップ８を、図４に示すように、外壁２から外側にはみ出すプラスチック製オーバーフロー管１の端部１ａに取り付ける際には、例えば図示例では内側嵌合部８ｄの内周面をそのオーバーフロー管１の端部１ａの外周面に嵌め合わせて、図５に示すようにオーバーフロー管１の端部１ａが内側嵌合部８ｄの基部まで嵌まり込むようにキャップ８を押し込む。
【００２７】
これにより、図５に示すように、この実施例のキャップ８をオーバーフロー管１の端部１ａに取付けた状態で、傘部８ｂの自由端部が外壁２に接触し、オーバーフロー管１の端部１ａ及び、そのオーバーフロー管１と外壁２との空隙を埋めるためのシーリング剤７が、そのキャップ８の傘部８ｂによって外から見えないように覆われる配置となる。
【００２８】
かかる実施例のキャップ８によれば、キャップ８全体が金属に比較して軽量なプラスチック製であって、内側嵌合部８ｄ及び外側嵌合部８ｅが、オーバーフロー管１との間の弾性変形応力及び／又は表面接触摩擦力を利用してオーバーフロー管１に簡便に嵌着されるので、不慣れな外壁塗装工事業者が請け負っても容易かつ確実にオーバーフロー管１に装着することができる。
【００２９】
しかも、この実施例のキャップ８によれば、外径基準寸法が異なる二種類のプラスチック製オーバーフロー管１の各々との間の弾性変形応力及び／又は表面接触摩擦力を利用して前記オーバーフロー管１に着脱可能に嵌着される内側嵌合部８ｄ及び外側嵌合部８ｅの二つの嵌合部を具えているので、各種の異なる外径のオーバーフロー管に対し、少ない種類のキャップ８で対応することができる。
【００３０】
さらに、この実施例のキャップ８によれば、外径基準寸法がａｍｍ及びｂｍｍ（ｂ＞ａとする）の二種類のプラスチック製オーバーフロー管１に適用するものの場合に、嵌合部として、互いに同心円状に配置された、０．９８ａ〜１．００ａの範囲の基部内径（ｍｍ）及び１．００ａ〜１．０２ａの範囲の先端部内径（ｍｍ）を持つテーパー形の内側嵌合部８ｄと、０．９８ｂ〜１．００ｂの範囲の基部内径（ｍｍ）及び１．００ｂ〜１．０２ｂの範囲の先端部内径（ｍｍ）を持つテーパー形の外側嵌合部８ｅとを具えているので、内側嵌合部８ｄと外側嵌合部８ｅとを、外径基準寸法がａｍｍ及びｂｍｍ（ｂ＞ａとする）の二種類のプラスチック製オーバーフロー管１にそれぞれ、そのオーバーフロー管１との間の弾性変形応力及び／又は表面接触摩擦力を利用して着脱可能に嵌着することができ、しかも、内側嵌合部８ｄと外側嵌合部８ｅとが互いに同心円状に位置しているので、二種類のオーバーフロー管１に対応可能なキャップ８をコンパクトに構成することができる。
【００３１】
さらに、この実施例のキャップ８によれば、プラスチック製オーバーフロー管１が、肉厚が２．０ｍｍ〜１８．０ｍｍの範囲の硬質塩化ビニル製のＶＰ管であっても良いので、比較的安価で多用されているＶＰ管に、プラスチック製ゆえ安価なこの実施例のキャップ８を適用し得るから、オーバーフロー構造を安価に構成することができる。
【００３２】
一方、この実施例のプラスチック製キャップの取付け方法によれば、外壁２から外側にはみ出すプラスチック製オーバーフロー管１に上記実施例のプラスチック製キャップ８を取付けた状態で、オーバーフロー管１及びそのオーバーフロー管１と外壁２との空隙を埋めるためのシーリング剤７がプラスチック製キャップ８によって外から見えないように覆われることから、プラスチック製オーバーフロー管１が日光が当たって劣化するのを防止し得るとともに、オーバーフロー管１と外壁２との空隙を埋めるためのシーリング剤７の外部への露出を防止して建築物の美観を維持することができる。
【００３３】
そして、この実施例のプラスチック製キャップの取付け方法によれば、プラスチック製キャップ８が外側に傘部８ｂを具え、内側嵌合部８ｄおよび外側嵌合部８ｅが、少なくともシーリング剤７の塗布長さ分傘部８ｂの自由端部から引っ込んでいるので、外壁２から外側にはみ出すプラスチック製オーバーフロー管１にキャップ８を取付けた状態で、オーバーフロー管１及びそのオーバーフロー管１と外壁２との空隙を埋めるためのシーリング剤７をその傘部８ｂによって外から見えないように覆うことができる。
【００３４】
以上，図示例に基づき説明したが、この考案は上述の例に限定されるものでなく、実用新案登録請求の範囲の記載範囲内で適宜変更し得るものであり、例えば、嵌合部は三つ以上としても良い。
【産業上の利用可能性】
【００３５】
かくして本考案のプラスチック製キャップによれば、キャップ全体が金属に比較して軽量なプラスチック製であって、嵌合部が、オーバーフロー管との間の弾性変形応力及び／又は表面接触摩擦力を利用してオーバーフロー管に簡便に嵌着されるので、不慣れな外壁塗装工事業者が請け負っても容易かつ確実にオーバーフロー管に装着することができる。
【００３６】
しかも本考案のキャップによれば、外径基準寸法が異なる複数種類のプラスチック製オーバーフロー管の各々との間の弾性変形応力及び／又は表面接触摩擦力を利用して前記オーバーフロー管に着脱可能に嵌着される複数の嵌合部を具えているので、各種の異なる外径のオーバーフロー管に対し、少ない種類のキャップで対応することができる。
【００３７】
そして本考案のプラスチック製キャップの取付け方法によれば、プラスチック製オーバーフロー管が日光が当たって劣化するのを防止し得るとともに、オーバーフロー管と外壁との空隙を埋めるためのシーリング剤の外部への露出を防止して建築物の美観を維持することができる。
【図面の簡単な説明】
【００３８】
【図１】本考案のオーバーフロー管用プラスチック製キャップの一実施例を示す背面図である。
【図２】上記実施例のキャップを示す、図１のＡ−Ａ線に沿う断面図である。
【図３】上記実施例のキャップを示す正面図である。
【図４】上記実施例のキャップを用いた、本考案のプラスチック製キャップの取付け方法の一実施例としての、オーバーフロー管へのキャップの装着方法を断面で示す説明図である。
【図５】上記実施例のプラスチック製キャップの取付け方法によってオーバーフロー管にキャップを取り付けた状態を示す断面図である。
【図６】従来のオーバーフロー管の端部を覆う方法の一例を示す側面図である。
【図７】従来のオーバーフロー管の端部を覆う方法の他の一例を示す側面図である。
【図８】従来のオーバーフロー管の端部を覆う方法のさらに一例を示す断面図である。
【符号の説明】
【００３９】
１  オーバーフロー管
１ａ  端部
２  外壁
３  エルボ
４  プラスチック製キャップ
５  ネジ
６  アルミダイカスト製のカバー
６ａ  板バネ
７  シーリング剤
８  プラスチック製キャップ
８ａ  正面部
８ｂ  傘部
８ｃ  貫通孔
８ｄ  内側嵌合部
８ｅ  外側嵌合部
【図１】
0003114979.tif 000003
【図２】
0003114979.tif 000004
【図３】
0003114979.tif 000005
【図４】
0003114979.tif 000006
【図５】
0003114979.tif 000007
【図６】
0003114979.tif 000008
【図７】
0003114979.tif 000009
【図８】
0003114979.tif 000010
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
外径基準寸法が異なる複数種類のプラスチック製オーバーフロー管に適用可能なプラスチック製のキャップであって、
前記複数種類のオーバーフロー管の各々との間の弾性変形応力及び／又は表面接触摩擦力を利用して前記オーバーフロー管に着脱可能に嵌着される複数の嵌合部を具えることを特徴とする、オーバーフロー管用プラスチック製キャップ。
【請求項２】
前記プラスチック製オーバーフロー管は、外径基準寸法がａｍｍ及びｂｍｍ（ｂ＞ａとする）の二種類であって、
前記嵌合部は、互いに同心円状に配置された、
０．９８ａ〜１．００ａの範囲の基部内径（ｍｍ）及び１．００ａ〜１．０２ａの範囲の先端部内径（ｍｍ）を持つテーパー形の内側嵌合部と、
０．９８ｂ〜１．００ｂの範囲の基部内径（ｍｍ）及び１．００ｂ〜１．０２ｂの範囲の先端部内径（ｍｍ）を持つテーパー形の外側嵌合部と、
からなることを特徴とする、請求項１記載のオーバーフロー管用プラスチック製キャップ。
【請求項３】
前記プラスチック製オーバーフロー管は、肉厚が２．０ｍｍ〜１８．０ｍｍの範囲の硬質塩化ビニル製のＶＰ管であることを特徴とする、請求項１又は請求項２記載のオーバーフロー管用プラスチック製キャップ。
【請求項４】
外壁から外側にはみ出す前記プラスチック製オーバーフロー管に前記プラスチック製キャップを取付けた状態で、前記オーバーフロー管及びそのオーバーフロー管と外壁との空隙を埋めるためのシーリング剤が前記プラスチック製キャップによって外から見えないように覆われる配置とすることを特徴とする、請求項１から請求項３までの何れか記載のプラスチック製キャップの取付け構造。
【請求項５】
前記プラスチック製キャップは外側に傘部を具え、
前記内側嵌合部および前記外側嵌合部は、少なくとも前記シーリング剤の塗布長さ分前記傘部の自由端部から引っ込んでいることを特徴とする、請求項４記載のプラスチック製キャップの取付け構造。
【手続補正３】
【補正対象書類名】明細書
【補正対象項目名】０００１
【補正方法】変更
【補正の内容】
【０００１】
本考案は、雨水などの排水路として機能するプラスチック製オーバーフロー管に対する簡便な着脱性を有するプラスチック製キャップおよびその取付け構造に関するものである。
【手続補正４】
【補正対象書類名】明細書
【補正対象項目名】００１２
【補正方法】変更
【補正の内容】
【００１２】
一方、本考案のプラスチック製キャップの取付け構造は、外壁から外側にはみ出す前記プラスチック製オーバーフロー管に前記プラスチック製キャップを取付けた状態で、前記オーバーフロー管及びそのオーバーフロー管と外壁との空隙を埋めるためのシーリング剤が前記プラスチック製キャップによって外から見えないように覆われる配置とすることを特徴とするものである。
【手続補正５】
【補正対象書類名】明細書
【補正対象項目名】００１７
【補正方法】変更
【補正の内容】
【００１７】
一方、本考案のプラスチック製キャップの取付け構造によれば、外壁から外側にはみ出すプラスチック製オーバーフロー管にプラスチック製キャップを取付けた状態で、オーバーフロー管及びそのオーバーフロー管と外壁との空隙を埋めるためのシーリング剤がプラスチック製キャップによって外から見えないように覆われることから、プラスチック製オーバーフロー管が日光が当たって劣化するのを防止し得るとともに、オーバーフロー管と外壁との空隙を埋めるためのシーリング剤の外部への露出を防止して建築物の美観を維持することができる。
【手続補正６】
【補正対象書類名】明細書
【補正対象項目名】００１８
【補正方法】変更
【補正の内容】
【００１８】
なお、本考案のプラスチック製キャップの取付け構造においては、前記プラスチック製キャップが外側に傘部を具え、前記内側嵌合部および前記外側嵌合部が、少なくとも前記シーリング剤の塗布長さ分前記傘部の自由端部から引っ込んでいても良い。このようにすれば、外壁から外側にはみ出すプラスチック製オーバーフロー管にプラスチック製キャップを取付けた状態で、オーバーフロー管及びそのオーバーフロー管と外壁との空隙を埋めるためのシーリング剤をその傘部によって外から見えないように覆うことができる。
【手続補正７】
【補正対象書類名】明細書
【補正対象項目名】００１９
【補正方法】変更
【補正の内容】
【００１９】
以下、本考案の実施の形態を実施例によって、図面に基づき詳細に説明する。ここに、図１は、本考案のオーバーフロー管用プラスチック製キャップの一実施例を示す背面図、図２は、その実施例のキャップを示す、図１のＡ−Ａ線に沿う断面図、図３は、その実施例のキャップを示す正面図、図４は、その実施例のキャップを用いた、本考案のプラスチック製キャップの取付け構造の一実施例としての、オーバーフロー管へのキャップの装着方法を断面で示す説明図、そして図５は、その実施例のプラスチック製キャップの取付け構造によってオーバーフロー管にキャップを取付けた状態を示す断面図である。
【手続補正８】
【補正対象書類名】明細書
【補正対象項目名】００２６
【補正方法】変更
【補正の内容】
【００２６】
そして、この実施例のキャップ８を、図４に示すように、外壁２から外側にはみ出すプラスチック製オーバーフロー管１の端部１ａに取付ける際には、例えば図示例では内側嵌合部８ｄの内周面をそのオーバーフロー管１の端部１ａの外周面に嵌め合わせて、図５に示すようにオーバーフロー管１の端部１ａが内側嵌合部８ｄの基部まで嵌まり込むようにキャップ８を押し込む。
【手続補正９】
【補正対象書類名】明細書
【補正対象項目名】００３２
【補正方法】変更
【補正の内容】
【００３２】
一方、この実施例のプラスチック製キャップの取付け構造によれば、外壁２から外側にはみ出すプラスチック製オーバーフロー管１に上記実施例のプラスチック製キャップ８を取付けた状態で、オーバーフロー管１及びそのオーバーフロー管１と外壁２との空隙を埋めるためのシーリング剤７がプラスチック製キャップ８によって外から見えないように覆われることから、プラスチック製オーバーフロー管１が日光が当たって劣化するのを防止し得るとともに、オーバーフロー管１と外壁２との空隙を埋めるためのシーリング剤７の外部への露出を防止して建築物の美観を維持することができる。
【手続補正１０】
【補正対象書類名】明細書
【補正対象項目名】００３３
【補正方法】変更
【補正の内容】
【００３３】
そして、この実施例のプラスチック製キャップの取付け構造によれば、プラスチック製キャップ８が外側に傘部８ｂを具え、内側嵌合部８ｄおよび外側嵌合部８ｅが、少なくともシーリング剤７の塗布長さ分傘部８ｂの自由端部から引っ込んでいるので、外壁２から外側にはみ出すプラスチック製オーバーフロー管１にキャップ８を取付けた状態で、オーバーフロー管１及びそのオーバーフロー管１と外壁２との空隙を埋めるためのシーリング剤７をその傘部８ｂによって外から見えないように覆うことができる。
【手続補正１１】
【補正対象書類名】明細書
【補正対象項目名】００３７
【補正方法】変更
【補正の内容】
【００３７】
そして本考案のプラスチック製キャップの取付け構造によれば、プラスチック製オーバーフロー管が日光が当たって劣化するのを防止し得るとともに、オーバーフロー管と外壁との空隙を埋めるためのシーリング剤の外部への露出を防止して建築物の美観を維持することができる。
【手続補正１２】
【補正対象書類名】明細書
【補正対象項目名】００３８
【補正方法】変更
【補正の内容】
【００３８】
【図１】本考案のオーバーフロー管用プラスチック製キャップの一実施例を示す背面図である。
【図２】上記実施例のキャップを示す、図１のＡ−Ａ線に沿う断面図である。
【図３】上記実施例のキャップを示す正面図である。
【図４】上記実施例のキャップを用いた、本考案のプラスチック製キャップの取付け構造の一実施例としての、オーバーフロー管へのキャップの装着構造を断面で示す説明図である。
【図５】上記実施例のプラスチック製キャップの取付け構造によってオーバーフロー管にキャップを取り付けた状態を示す断面図である。
【図６】従来のオーバーフロー管の端部を覆う方法の一例を示す側面図である。
【図７】従来のオーバーフロー管の端部を覆う方法の他の一例を示す側面図である。
【図８】従来のオーバーフロー管の端部を覆う方法のさらに一例を示す断面図である。